(57)【要約】【課題】袋の着脱作業を簡単に行なえるとともに、汎用性をもたせることができ、かつ、外観が美しい袋ホルダーを提供する。【解決手段】袋Ｈの開口部を上方に向けて、該袋Ｈを吊り下げる袋ホルダーＨ１であって、前記袋Ｈの開口縁部Ｈａを係止し、かつ、保持するためのホールド手段Ａであるホールド部材６がそれぞれ形成された一対のアーム部材１と、該アーム部材１の端部１ａから下方に延長されて交差しており、支点部２を中心に前記一対のアーム部材１を開閉自在にする一対のクロス部材３と、該一対のクロス部材３の下端から前記一対のアーム部材１に対向して延長される一対の接地部材４とからなる。【選択図】図１
2005096873.tif 000002
【特許請求の範囲】
【請求項１】
袋の開口部を上方に向けて、該袋を吊り下げる袋ホルダーであって、前記袋の開口縁部を係止し、かつ、保持するためのホールド手段がそれぞれ形成された一対のアーム部材と、該アーム部材の端部から下方に延長されて交差しており、支点部を中心に前記一対のアーム部材を開閉自在にする一対のクロス部材と、該一対のクロス部材の下端から前記一対のアーム部材に対向して延長される一対の接地部材とからなり、
少なくとも前記一対の接地部材のいずれか一方の接地部材に回転部材が取り付けられる袋ホルダー。
【請求項２】
前記一対のアーム部材上に引掛け部が設けられる請求項１記載の袋ホルダー。
【請求項３】
前記アーム部材の端部が前記クロス部材の上端に回転自在に支持されており、該アーム部材の端部先端に固着されるレバーと、該レバーの先端と前記クロス部材の上部に係止されるスプリングとが設けられてなる請求項１または２記載の袋ホルダー。
【請求項４】
前記支点部の側部位置における、前記一対のクロス部材のあいだにスプリングが係止されてなる請求項１または２記載の袋ホルダー。
【請求項５】
前記ホールド手段が、前記アーム部材上の所定間隔離れた位置から外方向に設けられる一対のホールド部材である請求項１、２、３または４記載の袋ホルダー。
【請求項６】
前記ホールド手段が、前記アーム部材から延びる基部と、該基部からほぼ水平方向に設けられる線状の係止部材である請求項１、２、３または４記載の袋ホルダー。
【請求項７】
前記係止部材がシリコーンゴムからなる請求項６記載の袋ホルダー。
【請求項８】
前記係止部材の表面に滑り止め手段が施されてなる請求項６または７記載の袋ホルダー。
【発明の詳細な説明】
【技術分野】
【０００１】
本発明は袋ホルダーに関する。家庭やイベント会場などで用いられるゴム袋または工業用粉体や粒体などの充填袋などを簡単に着脱自在に保持することができる袋ホルダーに関する。
【背景技術】
【０００２】
従来より、たとえばゴム袋を所定の場所に常設する方法としては、外筒にゴミ袋を収納し、ゴミ袋の開口縁部に内リングを嵌め込んだのち、内リングをチャックするようにした機械的に袋チャックする構造、またはゴミ容器にゴミ袋を収納したのち、蓋を被せるようにした床面据え置型などがある。
【発明の開示】
【発明が解決しようとする課題】
【０００３】
しかしながら、前記機械的に袋チャックする構造では、チャック構造が複雑であるため、ゴミ袋の着脱が面倒であり、使用済のゴミ袋を取り出すのが不便である。また袋サイズが小さいゴミ袋や大きいゴミ袋のばあいには、ゴミ袋の開口寸法が合わないため、使用できないという問題がある。
【０００４】
一方、床面据え置型では、見た目に汚ならしく、床面を清掃するときなどには移動させなければならないという問題がある。
【０００５】
本発明は、叙上の事情に鑑み、袋の着脱作業を簡単に行なえるとともに、汎用性をもたせることができ、かつ、外観が美しい袋ホルダーを提供することを目的とする。
【課題を解決するための手段】
【０００６】
本発明の請求項１にかかわる袋ホルダーは、袋の開口部を上方に向けて、該袋を吊り下げる袋ホルダーであって、前記袋の開口縁部を係止し、かつ、保持するためのホールド手段がそれぞれ形成された一対のアーム部材と、該アーム部材の端部から下方に延長されて交差しており、支点部を中心に前記一対のアーム部材を開閉自在にする一対のクロス部材と、該一対のクロス部材の下端から前記一対のアーム部材に対向して延長される一対の接地部材とからなり、
少なくとも前記一対の接地部材のいずれか一方の接地部材に回転部材が取り付けられることを特徴とする。
【発明の効果】
【０００７】
以上説明したとおり、本発明によれば、袋サイズを問わずに袋を装着することができるため、汎用性がよい袋ホルダーをうることができる。また袋は一対のホールド手段に引っ掛けたり、外したりするだけでよいので、袋の着脱が容易に行なえる。さらに袋を吊り下げて保持するため、見た目に美しく、床面の清掃が容易に行なうことができる。
【発明を実施するための最良の形態】
【０００８】
以下、添付図面に基づいて、本発明の袋ホルダーを説明する。
【０００９】
図１は本発明の袋ホルダーの一実施の形態を示す使用状態図、図２は図１における袋ホルダーの正面図、図３は図１における袋ホルダーの支点部を示す要部拡大図、図４は図１における袋ホルダーの収納状態を示す正面図、図５は本発明の袋ホルダーの他の実施の形態を示す使用状態図、図６は図５における袋ホルダーの正面図、図７〜８は図５における袋ホルダーの他の使用例を示す正面図、図９は本発明の袋ホルダーのさらに他の実施の形態を示す使用状態図、図１０は図９における袋ホルダーの他の使用例を示す使用状態図、図１１は本発明の袋ホルダーのさらなる他の実施の形態を示す使用状態図、図１２は本発明の袋ホルダーのさらなる他の実施の形態を示す使用状態図、図１３は本発明の袋ホルダーのさらなる他の実施の形態を示す使用状態図、図１４は本発明の袋ホルダーのさらなる他の実施の形態を示す使用状態図、図１５は本発明の袋ホルダーのさらなる他の実施の形態を示す使用状態図、図１６は本発明の袋ホルダーのさらなる他の実施の形態を示す使用状態図、図１７は本発明の袋ホルダーのさらなる他の実施の形態を示す使用状態図、図１８は本発明の袋ホルダーのさらなる他の実施の形態を示す使用状態図、図１９は本発明の袋ホルダーのさらなる他の実施の形態を示す使用状態図である。
【００１０】
図１〜３に示すように、本発明の一実施の形態にかかわる袋ホルダーＨ１は、ホールド手段Ａがそれぞれ形成された一対のアーム部材１と、該アーム部材１の端部１ａから下方に延長されて交差しており、支点部２を中心に前記一対のアーム部材１を開閉自在にする、第一のクロス部材３ａおよび第二のクロス部材３ｂからなる一対のクロス部材３と、該一対のクロス部材３の下端から前記一対のアーム部材１に対向して延長される一対の接地部材４と、該接地部材４に取り付けられるローラ５またはキャスターなどの回転部材とから構成されている。
【００１１】
本実施の形態にかかわる袋ホルダーＨ１では、袋Ｈを前記一対のアーム部材１の下側から前記ホールド手段Ａに袋Ｈの開口縁部Ｈａを係止し、かつ、保持させることにより、袋Ｈの開口部を上方に向けて、該袋Ｈを床面から浮かせ、吊り下げることができる。また前記ローラ５などの回転部材により、前記袋Ｈ内の収納物が増すにつれて、前記一対の接地部材４のあいだが開きやすくしているため、結果として、一対のアーム部材１の間隔が開き、ホールド手段Ａによる保持力を増すことができる。前記袋ホルダーＨ１は、使用済のばあい、図４に示すように一対のアーム部材１を閉じることにより、一対のクロス部材３が合わされて棒状になるため、収納スペースを小さくすることができる。なお、前記袋Ｈとしては、ポリエチレン、塩化ビニル樹脂、麻袋または紙袋などを適宜用いることができる。
【００１２】
前記ホールド手段Ａとしては、前記アーム部材１上の所定間隔離れた位置に設けられる一対のホールド部材６とすることができる。このホールド部材６は、図２に示すようにクロス部材３となす角度θがおおよそ２０〜５０°に設定されており、外方向に向けられている。このホールド部材６は、好ましくは前記アーム部材１から延びる基部７と、該基部７の端部に設けられる円筒形状の係止部材８とからなる構成とすることにより、前記基部７と係止部材８との境界部に形成される凹凸部に袋Ｈの開口縁部Ｈａが食い込み、袋Ｈが保持されやすくなる。
【００１３】
なお、本実施の形態では、前記係止部材の形状が円筒形状にされているが、本発明においては、基部と係止部材との境界部に凹凸部が形成されるものであれば、とくに限定されるものではなく、たとえば球形状または多角形状などにすることができる。また前記係止部材の材質としては、ゴム、合成樹脂または木材などを用いることができるが、摩擦係数が大きく、表面が滑りにくい点でゴム、とりわけシリコーンゴムを用いるのが好ましい。さらに滑り防止効果を高めるために、前記係止部材８の表面にゴムなどを貼り付けたり、なし地加工またはエンボス加工などの滑り止め手段を施すのが好ましい。
【００１４】
また本実施の形態では、一対の接地部材にそれぞれローラが取り付けられているが、本発明においては、これに限定されるものではなく、たとえば前記一対の接地部材のいずれか一方の接地部材に取り付けることができる。または床が滑りやすいばあいには、ローラを省くこともできる。
【００１５】
なお、前記一対の接地部材４が拡がり過ぎると、袋Ｈの開口縁部Ｈａが裂ける惧れがある。このため、一対のアーム部材のあいだの袋の使用範囲をこえないように、一対の接地部材４の所定の使用範囲をこえた拡がりを防止するために、前記支点部２における一対のクロス部材３に形成される支点孔９に挿通されるピン１０に断面コ字形状のストッパ１１を取り付けるのが好ましい。このストッパ１１は、たとえばピン１０のネジ部とナットにより取り付けることができる。かかるストッパ１１を取り付けることにより、袋Ｈ内の収納物が重くなると、一対のクロス部材３が縁部１１ａに当接し、該クロス部材３の開度が所定の開度に抑えられるため、前記一対の接地部材４の拡がりを防止することができる。なお、前記ストッパの代わりに、ひもやチェーンなどのストッパ手段を一対のクロス部材のあいだに張ることもできる。
【００１６】
つぎに本発明の他の実施の形態を説明する。本実施の形態では、図５〜６に示すように、一対のクロス部材３の支点孔９の上下部位に支点孔９ａ、９ｂを追加加工し、袋サイズが異なる袋、たとえば標準サイズの袋、標準サイズより開口部が小さい袋および標準サイズより開口部が大きい袋にそれぞれ対応させるために、前記一対のクロス部材３における支点部２が３箇所設定できるようにされている。支点孔９における支点部２には、標準サイズの袋Ｈを保持させることができる。そして小さい袋Ｈｓを保持させるばあいには、図７に示すように、中央支点孔９から上部支点孔９ａにピン１０を差し換えて、支点部２の位置を上部位置に変更する。これにより、支点部２から一対の接地部材４までの距離が長くなり、一対のクロス部材３を十分に開脚させることができる。このため、安定して小さい袋Ｈｓを保持した状態で袋ホルダーを移動させることができる。また大きい袋ＨLを保持させるばあいには、図８に示すように、中央支点孔９から下部支点孔 ９ｂにピン１０を差し換えて、支点部２の位置を下部位置に変更する。これにより、一対のアーム部材１を高い位置にもって来ることができる。このため、袋ＨLの底部を床面に接地させることがなく、収納物を袋ＨLの底部周辺まで充填することができるとともに、収納物を入れた状態で袋ホルダーを移動させることができる。
【００１７】
つぎに本発明のさらに他の実施の形態を説明する。本実施の形態にかかわる袋ホルダーＨ２ａは、図９に示すように、一対のアーム部材１上に、たとえばスーパーなどで配られる小さな手提げ袋Ｈssの握り部Ｈssaを引っ掛けられるように 引掛け部１ｓが設けられている。この引掛け部１ｓの形状としては、本発明においては、とくに限定されるものではなく、たとえばアーム部材の一部を折り曲げてコ字形状にすることができる。本実施の形態にかかわる袋ホルダーＨ２ａは、たとえば家庭で使用されるばあいに、袋Ｈssに生ゴミなどを入れ、それが一杯になったら開口縁部を縛り、そして大きい袋に入れるときに好適である。また本実施の形態にかかわる袋ホルダーＨ２ａは、図１０に示すようにホールド部材６に袋Ｈを保持させるとともに、引掛け部１ｓに小さな袋Ｈssを保持させる、袋のダブル使用ができるため、生ゴミなどは小さな袋Ｈssに入れ、他のゴミは大きい袋Ｈに入れることができる。また小さな袋Ｈssが一杯になれば、直接大きな袋Ｈ内に落とすこともできる。これにより、生ゴミなどで床面を汚すこともなく、かつ、ゴミ袋のスペースを最小限にすることができる。
【００１８】
つぎに本発明のさらに他の実施の形態を説明する。本実施の形態では、袋サイズの異なる袋に対応させるために、図１１に示すように、一対のホールド部材６のあいだのアーム部材１の部分が、アーム基部材１２と、該アーム基部材１２に伸縮自在な円筒形状のアーム先端部材１３と、該アーム先端部材１３を位置決めする固定手段とから構成されている。この固定手段としては、前記アーム先端部材１３に形成されるねじ孔にねじ込みにより、アーム先端部材１３を固定するボルト付つまみ１４などを用いることができる。本実施の形態にかかわる袋ホルダーＨ３では、該つまみ１４を緩め、袋の開口部の大きさに合わせてアーム先端部材１３を移動させることにより、一対のホールド部材６の間隔が調節できるため、小さい袋から大きな袋まで保持することができる。また袋の開口部をほぼ正方形に保持できるため、袋への充填作業がやりやすくなる。なお、本実施の形態では、アーム先端部材を伸縮自在にしているが、本発明においては、これに限定されるものではなく、クロス部材に延長されるアーム基部材を円筒形状にし、該アーム基部材にアーム先端部材を挿入させることにより、該アーム先端部材を伸縮自在にすることもできる。かかるばあいには、アーム基部材につまみがねじ込みできるようにねじ孔が形成される。
【００１９】
つぎに本発明のさらなる他の実施の形態を説明する。本実施の形態では、袋サイズが異なる袋を保持できるように、一対のクロス部材が伸縮自在にされている。すなわち、図１２に示すように、袋ホルダーＨ４では、一対のクロス部材３が、それぞれクロス基部材１５と、該クロス基部材１５に伸縮自在な円筒形状のクロス下端部材１６と、該クロス下端部材１６を位置決めする固定手段とから構成されている。この固定手段としては、前記実施の形態と同様に、ボルト付つまみ１４などを用いることができる。なお、本実施の形態では、クロス下端部材が円筒形状にされているが、本発明においては、これに限定されるものではなく、クロス基部材を円筒形状にし、クロス下端部材を挿入できるようにしてもよい。
【００２０】
つぎに本発明のさらなる他の実施の形態を説明する。本実施の形態かかわる袋ホルダーＨ５では、図１３に示すように、ホールド部材１７における係止部材が基部７の回りに回転自在な回転ロール１８にされている。かかる回転ロール１８により、袋Ｈをホールド部材１７に保持させたのちに、袋Ｈを装着したまま、袋Ｈを回転させることができるので、一度装着した袋Ｈの位置や形状のズレを修正することができる。また前記回転ロール１８は、摩擦係数を大きくするために、前記実施の形態と同様に、たとえばシリコーンゴムなどから作製することができる。または表面にゴムを貼り付けたり、なし地加工などの滑り止め手段を施すことができる。
【００２１】
つぎに本発明のさらなる他の実施の形態を説明する。本実施の形態にかかわる袋ホルダーＨ６では、図１４に示すようにホールド部材１９が、アーム部材１から延びる基部２０と、該基部２０からほぼ水平方向に設けられる線状の係止部材２１とから構成されている。またこの係止部材２１の両端部は、袋を傷めないように折曲されている。かかる係止部材２１は、摩擦係数を大きくするために、前記実施の形態と同様に、たとえばシリコーンゴムなどから作製することができる。または表面にゴムを貼り付けたり、なし地加工などの滑り止め手段を施すことができる。
【００２２】
つぎに本発明のさらなる他の実施の形態を説明する。前記実施の形態において、一対の接地部材にローラなどの回転部材を有しないときに、床が滑りにくいばあい、接地部材が拡がりにくいため、袋を保持している係止部材の摩擦だけでは、耐えうる袋内の収納物の重量は小さい。このため、本実施の形態にかかわる袋ホルダーＨ７では、図１５に示すように、アーム部材１の端部１ａがクロス部材３の上端に回転自在に支持されており、該アーム部材１の端部１ａの先端に固着されるレバー２２と、該レバー２２の先端２２ａと前記クロス部材３の上部に係止されるスプリング２３とが設けられている。かかるスプリング２３により、アーム部材１を介して係止部材８が矢印Ｋ方向の外向きの力が働くため、袋の保持力を高めることができる。なお、２４、２５はスプリング係止孔である。
【００２３】
つぎに本発明のさらなる他の実施の形態を説明する。図１５に示す実施の形態と同様に、接地部材に回転部材を有しないばあい、本実施の形態にかかわる袋ホルダーＨ８では、図１６に示すように、支点部２の側部位置Ｐ１における、一対のクロス部材３のあいだにスプリング２６が係止されている。かかるスプリング２６により、係止部材８には矢印Ｋ方向に外向きの力が働く。なお、２７、２８は上下一対のスプリング係止孔である。本実施の形態では、支点部２の側部位置Ｐ１のクロス部材３にだけスプリング２６を係止させているが、本発明においては、これに限定されるものではなく、支点部２の他方の側部位置Ｐ２におけるクロス部材３にもスプリングを係止することができる。スプリングを支点部の両側に係止させることにより、係止部材の外向きの力をさらに大きくすることができる。なお、たとえば図５および図９〜１２に示す袋ホルダーに本実施の形態にかかわるスプリングを設けるばあいには、スプリングを係止させる上下一対の係止孔を３箇所形成する。
【図面の簡単な説明】
【００２４】
【図１】本発明の袋ホルダーの一実施の形態を示す使用状態図である。
【図２】図１における袋ホルダーの正面図である。
【図３】図１における袋ホルダーの支点部を示す要部拡大図である。
【図４】図１における袋堀るだーん収納状態を示す正面図である。
【図５】本発明の袋ホルダーの他の実施の形態を示す使用状態図である。
【図６】図５における袋ホルダーの正面図である。
【図７】図５における袋ホルダーの他の使用例を示す正面図である。
【図８】図５における袋ホルダーの他の使用例を示す正面図である。
【図９】本発明の袋ホルダーのさらに他の実施の形態を示す使用状態図である。
【図１０】図９における袋ホルダーの他の使用例を示す使用状態図である。
【図１１】本発明の袋ホルダーのさらに他の実施の形態を示す使用状態図である。
【図１２】本発明の袋ホルダーのさらなる他の実施の形態を示す使用状態図である。
【図１３】本発明の袋ホルダーのさらなる他の実施の形態を示す使用状態図である。
【図１４】本発明の袋ホルダーのさらなる他の実施の形態を示す使用状態図である。
【図１５】本発明の袋ホルダーのさらなる他の実施の形態を示す使用状態図である。
【図１６】本発明の袋ホルダーのさらなる他の実施の形態を示す使用状態図である。
【図１７】本発明の袋ホルダーのさらなる他の実施の形態を示す使用状態図である。
【図１８】本発明の袋ホルダーのさらなる他の実施の形態を示す使用状態図である。
【図１９】本発明の袋ホルダーのさらなる他の実施の形態を示す使用状態図である。
【符号の説明】
【００２５】
１    アーム部材
１ａ  端部
２    支点部
３    クロス部材
４    接地部材
５    ローラ
６    ホールド部材
７    基部
８    係止部材
９    支点孔
１０    ピン
１１    ストッパー
１１ａ  縁部
Ａ    ホールド手段
Ｈ    袋
Ｈ１  袋ホルダー
Ｈａ  開口縁部
【図１】
2005096873.tif 000003
【図２】
2005096873.tif 000004
【図３】
2005096873.tif 000005
【図４】
2005096873.tif 000006
【図５】
2005096873.tif 000007
【図６】
2005096873.tif 000008
【図７】
2005096873.tif 000009
【図８】
2005096873.tif 000010
【図９】
2005096873.tif 000011
【図１０】
2005096873.tif 000012
【図１１】
2005096873.tif 000013
【図１２】
2005096873.tif 000014
【図１３】
2005096873.tif 000015
【図１４】
2005096873.tif 000016
【図１５】
2005096873.tif 000017
【図１６】
2005096873.tif 000018
【図１７】
2005096873.tif 000019
【図１８】
2005096873.tif 000020
【図１９】
2005096873.tif 000021